(57)【特許請求の範囲】
【請求項１】
溶融した樹脂が注入されるスプルーと、成形品が形成される複数のキャビティと、前記スプルーと複数の前記キャビティとを繋ぐランナーと、前記ランナーを冷却するための冷却用媒体が流れる媒体流路とが形成されるとともに、前記ランナーを加熱するための複数のヒータと、複数の温度センサとを備え、
前記ランナーは、前記スプルーに繋がるとともに略直線状に形成される第１ランナー部を備え、
前記媒体流路は、前記第１ランナー部が形成される方向であるランナー形成方向に前記冷却用媒体が流れるように、前記第１ランナー部の側面に沿って形成され、
複数の前記ヒータは、前記ランナー形成方向に所定の間隔をあけた状態で配置され、
複数の前記温度センサは、複数の前記ヒータのそれぞれに対応する位置に配置されていることを特徴とする射出成形用金型。
【請求項２】
前記媒体流路への前記冷却用媒体の流入口と、前記媒体流路からの前記冷却用媒体の流出口とは、前記ランナー形成方向における前記第１ランナー部の一方側に形成され、
前記媒体流路は、前記第１ランナー部を囲むように前記ランナー形成方向における前記第１ランナー部の他方側で折り返されていることを特徴とする請求項１記載の射出成形用金型。
【請求項３】
前記ランナーを構成するランナー溝が形成されるランナー溝形成部と、前記ランナー溝形成部が固定される固定部とを備え、
前記媒体流路は、前記媒体流路を通過する前記冷却用媒体が前記ランナー溝形成部に接触するように形成され、
前記ランナー溝形成部の熱伝導率は、前記固定部の熱伝導率よりも高くなっていることを特徴とする請求項１または２記載の射出成形用金型。
【請求項４】
請求項１から３のいずれかに記載の射出成形用金型を用いた射出成形方法であって、
前記ランナーを加熱するランナー加熱工程と、前記ランナー加熱工程後に、溶融した樹脂を前記スプルーに注入して前記キャビティに樹脂を充填する樹脂充填工程と、前記樹脂充填工程後に、前記媒体流路に前記冷却用媒体を流して前記ランナーを冷却するランナー冷却工程と、前記ランナー冷却工程後に、前記キャビティ内の前記成形品を冷却してから前記成形品を取り出す成形品取出工程とを備えることを特徴とする射出成形方法。
【発明の詳細な説明】
【技術分野】
【０００１】
本発明は、射出成形用金型およびこの射出成形用金型を用いた射出成形方法に関する。
【背景技術】
【０００２】
従来、溶融した樹脂が注入されるスプルーと、成形品が形成されるキャビティと、スプルーとキャビティとを繋ぐランナーとが形成された射出成形用金型が知られている（たとえば、特許文献１参照）。特許文献１に記載の射出成形用金型では、スプルーとランナーとによって構成される樹脂供給路の近傍、および、キャビティの近傍に、加熱冷却媒体流路が形成されている。また、特許文献１には、この射出成形用金型を用いた射出成形方法が開示されている。特許文献１に記載の射出成形方法では、溶融樹脂の射出ユニットからスプルーに注入された溶融樹脂がランナーを通過してキャビティに充填されると、射出ユニットからの溶融樹脂の注入を継続した状態で、まず、キャビティを冷却し、その後、樹脂供給路を冷却している。
【先行技術文献】
【特許文献】
【０００３】
【特許文献１】特許第４６８４４２３号公報
【発明の概要】
【発明が解決しようとする課題】
【０００４】
本願発明者は、射出成形用金型を用いて肉厚の成形品を作ることを検討している。肉厚の成形品にはヒケが生じやすい。肉厚の成形品のヒケを抑制するためには、キャビティに十分な量の溶融樹脂を充填するとともに、キャビティに充填された溶融樹脂のランナーへの逆流を抑制する必要がある。キャビティに充填された溶融樹脂のランナーへの逆流を抑制するためには、特許文献１に記載の射出成形方法のように、射出ユニットからの溶融樹脂の注入を継続した状態で、まず、キャビティを冷却し、その後、樹脂供給路を冷却すれば良い。しかしながら、この射出成形方法では、キャビティが冷却されるまで射出ユニットを稼働し続けなければならず、射出ユニットの稼働時間が長くなる。
【０００５】
そこで、本発明の課題は、スプルーに樹脂を注入する射出ユニットの稼働時間を短縮しても、キャビティに充填された溶融樹脂のランナーへの逆流を抑制することが可能な射出成形用金型を提供することにある。また、本発明の課題は、かかる射出成形用金型を用いた射出成形方法を提供することにある。
【課題を解決するための手段】
【０００６】
上記の課題を解決するため、本発明の射出成形用金型は、溶融した樹脂が注入されるスプルーと、成形品が形成される複数のキャビティと、スプルーと複数のキャビティとを繋ぐランナーと、ランナーを冷却するための冷却用媒体が流れる媒体流路とが形成されるとともに、ランナーを加熱するための複数のヒータと、複数の温度センサとを備え、ランナーは、スプルーに繋がるとともに略直線状に形成される第１ランナー部を備え、媒体流路は、第１ランナー部が形成される方向であるランナー形成方向に冷却用媒体が流れるように、第１ランナー部の側面に沿って形成され、複数のヒータは、ランナー形成方向に所定の間隔をあけた状態で配置され、複数の温度センサは、複数のヒータのそれぞれに対応する位置に配置されていることを特徴とする。
【０００７】
本発明の射出成形用金型には、ランナーを冷却するための冷却用媒体が流れる媒体流路が形成されており、ランナーは、スプルーに繋がるとともに略直線状に形成される第１ランナー部を備えている。また、本発明では、媒体流路は、第１ランナー部が形成される方向であるランナー形成方向に冷却用媒体が流れるように、第１ランナー部の側面に沿って形成されている。そのため、本発明では、媒体流路を流れる冷却用媒体によってランナーを効果的に冷却することが可能になる。すなわち、本発明では、媒体流路を流れる冷却用媒体によってランナーの中の溶融樹脂を効果的に冷却して、ランナーの中の溶融樹脂の粘度を短時間で上げることが可能になるか、あるいは、ランナーの中の溶融樹脂を短時間で硬化させることが可能になる。したがって、本発明では、スプルーに樹脂を注入する射出ユニットの稼働時間を短縮しても、ランナーの中の粘度の高い溶融樹脂または硬化した樹脂によって、キャビティに充填された溶融樹脂のランナーへの逆流を抑制することが可能になる。また、本発明では、射出成形用金型は、ランナーを加熱するための複数のヒータと、複数の温度センサとを備えるとともに、射出成形用金型には、ランナーに繋がる複数のキャビティが形成され、複数のヒータは、ランナー形成方向に所定の間隔をあけた状態で配置され、複数の温度センサは、複数のヒータのそれぞれに対応する位置に配置されているため、キャビティに溶融樹脂を充填するときに、ヒータによってランナーの中の溶融樹脂を加熱して溶融樹脂の粘度を下げることが可能になる。したがって、ランナーを通過する溶融樹脂が流れやすくなり、短時間でキャビティに溶融樹脂を充填することが可能になる。また、キャビティに溶融樹脂を充填するときに、複数のヒータのそれぞれに対応する位置に配置される温度センサでの検出結果に基づいて、複数のヒータのそれぞれの温度を制御することが可能になる。したがって、キャビティに溶融樹脂を充填するときに、ランナー形成方向におけるランナーの加熱温度のばらつきを抑制することが可能になり、その結果、複数のキャビティのそれぞれに溶融樹脂を均等に充填することが可能になる。
【０００８】
本発明において、媒体流路への冷却用媒体の流入口と、媒体流路からの冷却用媒体の流出口とは、ランナー形成方向における第１ランナー部の一方側に形成され、媒体流路は、第１ランナー部を囲むようにランナー形成方向における第１ランナー部の他方側で折り返されていることが好ましい。このように構成すると、媒体流路によって第１ランナー部が囲まれているため、媒体流路を流れる冷却用媒体によって、ランナーの中の溶融樹脂をより効果的に冷却することが可能になる。また、このように構成すると、ランナー形成方向における第１ランナー部の一方側に流入口および流出口が形成されているため、流入口に接続される配管と流出口に接続される配管とをまとめて引き回すことが可能になる。したがって、流入口に接続される配管および流出口に接続される配管の引き回しが容易になる。
【００１１】
本発明において、射出成形用金型は、ランナーを構成するランナー溝が形成されるランナー溝形成部と、ランナー溝形成部が固定される固定部とを備え、媒体流路は、媒体流路を通過する冷却用媒体がランナー溝形成部に接触するように形成され、ランナー溝形成部の熱伝導率は、固定部の熱伝導率よりも高くなっていることが好ましい。このように構成すると、たとえば、射出成形用金型の剛性を高めるために、熱伝導率の比較的低い材料によって固定部が形成されていても、ランナーを効果的に冷却することが可能になる。
【００１３】
本発明の射出成形用金型を用いた射出成形方法は、たとえば、ランナーを加熱するランナー加熱工程と、ランナー加熱工程後に、溶融した樹脂をスプルーに注入してキャビティに樹脂を充填する樹脂充填工程と、樹脂充填工程後に、媒体流路に冷却用媒体を流してランナーを冷却するランナー冷却工程と、ランナー冷却工程後に、キャビティ内の成形品を冷却してから成形品を取り出す成形品取出工程とを備えている。この射出成形方法では、キャビティに樹脂を充填する樹脂充填工程の前のランナー加熱工程においてランナーを加熱しているため、樹脂充填工程においてランナーを通過する溶融樹脂を加熱して溶融樹脂の粘度を下げることが可能になる。したがって、ランナーを通過する溶融樹脂を流れやすくして、短時間でキャビティに溶融樹脂を充填することが可能になる。また、この射出成形方法では、樹脂充填工程後のランナー冷却工程において媒体流路に冷却用媒体を流してランナーを冷却しているため、媒体流路を流れる冷却用媒体によってランナーの中の溶融樹脂を効果的に冷却して、ランナーの中の溶融樹脂の粘度を短時間で上げることが可能になるか、あるいは、ランナーの中の溶融樹脂を短時間で硬化させることが可能になる。したがって、スプルーに樹脂を注入する射出ユニットの稼働時間を短縮しても、ランナーの中の粘度の高い溶融樹脂または硬化した樹脂によって、キャビティに充填された溶融樹脂のランナーへの逆流を抑制することが可能になる。
【発明の効果】
【００１４】
以上のように、本発明では、スプルーに樹脂を注入する射出ユニットの稼働時間を短縮しても、キャビティに充填された溶融樹脂のランナーへの逆流を抑制することが可能になる。
【図面の簡単な説明】
【００１５】
【図１】本発明の実施の形態にかかる射出成形用金型の概略構成を説明するための側面図である。
【図２】図１に示す射出成形用金型の概略構成を説明するための平面図である。
【図３】図１に示す第３金型の側面図である。
【図４】図１に示す第３金型の平面図である。
【図５】図１の示す第３金型の正面図である。
【図６】図３のＥ−Ｅ断面の上端側部分の断面図である。
【図７】本発明の他の実施の形態にかかる第３金型の側面図である。
【発明を実施するための形態】
【００１６】
以下、図面を参照しながら、本発明の実施の形態を説明する。
【００１７】
（射出成形用金型の全体構成）
図１は、本発明の実施の形態にかかる射出成形用金型１の概略構成を説明するための側面図である。図２は、図１に示す射出成形用金型１の概略構成を説明するための平面図である。
【００１８】
本形態の射出成形用金型１（以下、「金型１」とする）は、肉厚の成形品を作るための金型であり、射出成形装置（図示省略）に取り付けられて使用される。金型１には、溶融した樹脂（溶融樹脂）が注入されるスプルー２ａと、成形品が形成されるキャビティ３ａと、スプルー２ａとキャビティ３ａとを繋ぐランナー７とが形成されている。また、金型１は、スプルー２ａが形成される第１金型２と、キャビティ３ａが形成される第２金型３と、ランナー７を構成するランナー溝４ａが形成される第３金型４とに分割可能となっている。なお、図１では、第２金型３の図示を省略し、図２では、第１金型２の図示を省略している。
【００１９】
以下では、金型１の構成の説明の便宜上、互いに直交する３方向（Ｘ方向、Ｙ方向およびＺ方向）のうちのＸ方向を「左右方向」とし、Ｙ方向を「前後方向」とし、Ｚ方向を「上下方向」とする。また、上下方向のうちのＺ１方向側を「上」側、Ｚ２方向側を「下」側とする。なお、金型１は、Ｚ方向（上下方向）と鉛直方向（鉛直線の方向、すなわち、重力の方向）とが一致するように配置されても良いし、Ｚ方向が鉛直方向に対して傾くように配置されても良い。
【００２０】
図１に示すように、第１金型２は、第３金型４の上側に配置されている。第１金型２の上側には、溶融樹脂の射出ユニット（図示省略）が配置されており、スプルー２ａには、上側から溶融樹脂が注入される。図２に示すように、第２金型３は、第３金型４の左右の両側に配置されている。第２金型３には、ランナー７に繋がる４個のキャビティ３ａが形成されている。４個のキャビティ３ａのうちの２個のキャビティ３ａは、第３金型４の左右方向の一方側に配置され、残りの２個のキャビティ３ａは、第３金型４の左右方向の他方側に配置されている。また、４個のうちの２個のキャビティ３ａは、第３金型４の前後方向の一方側に配置され、残りの２個のキャビティ３ａは、第３金型４の前後方向の他方側に配置されている。
【００２１】
（第３金型の構成）
図３は、図１に示す第３金型４の側面図である。図４は、図１に示す第３金型４の平面図である。図５は、図１の示す第３金型４の正面図である。図６は、図３のＥ−Ｅ断面の上端側部分の断面図である。
【００２２】
第３金型４は、略直方体状に形成されている。具体的には、第３金型４は、左右方向に略平行な２個の平面と、前後方向に略平行な２個の平面と、上下方向に略平行な２個の平面とを有する略直方体状に形成されている。また、第３金型４は、左右方向の厚さが薄い扁平な略直方体状に形成されている。ランナー溝４ａは、第３金型４の上端面に形成されている。ランナー７は、第３金型４の上面に当接する第１金型２の底面とランナー溝４ａとによって形成されている。また、第３金型４には、ランナー７を冷却するための冷却用媒体が流れる媒体流路４ｂと、温度センサ５が配置されるセンサ配置溝４ｃとが形成されている。
【００２３】
ランナー溝４ａは、スプルー２ａに繋がるとともに前後方向に長い略直線状に形成される第１ランナー溝部４ｄと、前後方向における第１ランナー溝部４ｄの両端側から左右方向の両側のそれぞれに向かって伸びる４個の第２ランナー溝部４ｅとから構成されている。第２ランナー溝部４ｅは、キャビティ３ａに繋がっている。また、第１ランナー溝部４ｄおよび第２ランナー溝部４ｅは、その断面形状が略Ｕ形状となるＵ溝状に形成されている。本形態では、第１ランナー溝部４ｄと第１金型２の底面とによって、スプルー２ａに繋がるとともに略直線状に形成される第１ランナー部７ａが形成されている。
【００２４】
媒体流路４ｂは、第１ランナー部７ａが形成される方向である前後方向に冷却用媒体が流れるように、第１ランナー部７ａの側面に沿って形成されている。すなわち、媒体流路４ｂは、第１ランナー溝部４ｄの側面に沿って形成されている。具体的には、媒体流路４ｂは、左右方向において第１ランナー部７ａを挟むように、第１ランナー部７ａの左側面および右側面に沿って形成されている。本形態の前後方向（Ｙ方向）はランナー形成方向である。
【００２５】
本形態では、媒体流路４ｂへの冷却用媒体の流入口４ｆと媒体流路４ｂからの冷却用媒体の流出口４ｇとが前後方向における第１ランナー部７ａの一方側に形成され、媒体流路４ｂは、第１ランナー部７ａを囲むように前後方向における第１ランナー部７ａの他方側で折り返されている。より具体的には、流入口４ｆおよび流出口４ｇは、第３金型４の下面に形成されており、媒体流路４ｂは、流出口４ｆから上側に向かって形成された後に、第１ランナー部７ａの左右の一方の側面に沿うように前後方向の他方側に向かって第１ランナー部７ａと平行に形成され、その後、前後方向において第１ランナー部７ａの外側を通過するように、前後方向の他方側で折り返されて形成された後、第１ランナー部７ａの左右の他方の側面に沿うように前後方向の一方側に向かって第１ランナー部７ａと平行に形成され、その後、流出口４ｇに繋がるように下側へ向かって形成されている。なお、媒体流路４ｂの一部は、第２ランナー部４ｅを避けるように下側に湾曲する湾曲部４ｈとなっている。
【００２６】
また、本形態では、媒体流路４ｂに、ランナー７を加熱するための加熱用媒体も流される。冷却用媒体は、たとえば、冷却された油であり、加熱用媒体は、たとえば、加熱された油である。流入口４ｆおよび流出口４ｇには、冷却用媒体の供給回収ユニット（図示省略）と加熱用媒体の供給回収ユニット（図示省略）とが、所定の配管および切替弁（図示省略）を介して接続されており、この切替弁の切替によって、媒体流路４ｂに流される媒体が切り替わる。切替弁は、たとえば、電磁弁である。なお、冷却用媒体は、油以外の液体であっても良いし、気体であっても良い。同様に、加熱用媒体は、油以外の液体であっても良いし、気体であっても良い。
【００２７】
センサ配置溝４ｃは、第３金型４の左右方向の一方の側面に形成されている。また、センサ配置溝４ｃは、左右方向の内側に向かって窪むように形成されている。たとえば、２個のセンサ配置溝４ｃが前後方向において所定の間隔をあけた状態で形成されている。センサ配置溝４ｃには、温度センサ５が配置されている。すなわち、第３金型４には、温度センサ５が取り付けられており、温度センサ５によって第３金型４の温度が測定される。温度センサ５は、たとえば、熱電対である。
【００２８】
また、第３金型４は、図６に示すように、ランナー溝４ａが形成されるランナー溝形成部４ｊと、ランナー溝形成部４ｊが固定される複数の固定部４ｋとから構成されており、ランナー溝形成部４ｊと複数の固定部４ｋとは互いに接合されている。媒体流路４ｂは、媒体流路４ｂを通過する冷却用媒体および加熱用媒体がランナー溝形成部４ｊの側面に接触するように形成されている。ランナー溝形成部４ｊの材質と固定部４ｋの材質とは異なっており、ランナー溝形成部４ｊの熱伝導率は、固定部４ｋの熱伝導率よりも高くなっている。また、固定部４ｋの剛性は、ランナー溝形成部４ｊの剛性よりも高くなっている。本形態では、ランナー溝形成部４ｊは、銅合金によって形成され、固定部４ｋは、ステンレス鋼等の鉄系金属によって形成されている。
【００２９】
（射出成形方法）
以上のように構成された金型１を用いて射出成形を行う場合には、まず、ランナー７を加熱する（ランナー加熱工程）。具体的には、媒体流路４ｂに加熱用流体を流してランナー７を加熱する。また、ランナー加熱工程では、ランナー７の温度がスプルー２ａから注入される溶融樹脂のガラス転移点よりも高くなるように、ランナー７を加熱する。その後、射出ユニットから溶融樹脂をスプルー２ａに注入してキャビティ３ａに樹脂を充填する（樹脂充填工程）。その後、スプルー２ａ、キャビティ３ａおよびランナー７内の圧力を維持した状態で媒体流路４ｂに冷却用媒体を流してランナー７を冷却する（ランナー冷却工程）。その後、キャビティ３ａ内の成形品を冷却してから成形品を取り出す（成形品取出工程）。
【００３０】
（本形態の主な効果）
以上説明したように、本形態では、ランナー７を冷却するための冷却用媒体が流れる媒体流路４ｂが金型１に形成されており、媒体流路４ｂは、第１ランナー部７ａが形成される方向である前後方向に冷却用媒体が流れるように、第１ランナー部７ａの側面に沿って形成されている。そのため、本形態では、ランナー冷却工程において、媒体流路４ｂを流れる冷却用媒体によってランナー７を効果的に冷却することが可能になる。特に本形態では、媒体流路４ｂは、前後方向における第１ランナー部７ａの他方側で折り返されており、左右の両側および前後方向の他方側から第１ランナー部７ａを囲んでいるため、ランナー冷却工程において、媒体流路４ｂを流れる冷却用媒体によってランナー７をより効果的に冷却することが可能になる。
【００３１】
すなわち、本形態では、ランナー冷却工程において、媒体流路４ｂを流れる冷却用媒体によってランナー７の中の溶融樹脂をより効果的に冷却して、ランナー７の中の溶融樹脂の粘度を短時間で上げることが可能になる。したがって、本形態では、射出ユニットの稼働時間を短縮しても、ランナー７の中の粘度の高い溶融樹脂によって、キャビティ３ａに充填された溶融樹脂のランナー７への逆流を抑制することが可能になる。
【００３２】
本形態では、媒体流路４ｂを流れる加熱用媒体によってランナー７を加熱した後に、樹脂充填工程において、溶融樹脂をスプルー２ａに注入してキャビティ３ａに樹脂を充填している。そのため、本形態では、樹脂充填工程においてランナー７を通過する溶融樹脂を加熱して溶融樹脂の粘度を下げることが可能になる。したがって、本形態では、ランナー７を通過する溶融樹脂を流れやすくして、短時間でキャビティ３ａに溶融樹脂を充填することが可能になる。また、本形態では、冷却用媒体が流れる媒体流路４ｂと加熱用媒体が流れる媒体流路４ｂとが共通であるため、金型１の構造を簡素化することが可能になる。
【００３３】
本形態では、第３金型４は、ランナー溝形成部４ｊと固定部４ｋとから構成されており、媒体流路４ｂは、媒体流路４ｂを通過する冷却用媒体および加熱用媒体がランナー溝形成部４ｊの側面に接触するように形成されている。また、本形態では、ランナー溝形成部４ｊの熱伝導率は、固定部４ｋの熱伝導率よりも高くなっており、固定部４ｋの剛性は、ランナー溝形成部４ｊの剛性よりも高くなっている。そのため、本形態では、第３金型４の剛性を確保しつつ、媒体流路４ｂを通過する冷却用媒体によってランナー７を効果的に冷却したり、媒体流路４ｂを通過する加熱用媒体によってランナー７を効果的に加熱したりすることが可能になる。
【００３４】
本形態では、媒体流路４ｂへの冷却用媒体の流入口４ｆと媒体流路４ｂからの冷却用媒体の流出口４ｇとが前後方向における第１ランナー部７ａの一方側に形成されている。そのため、本形態では、流入口４ｆに接続される配管と流出口４ｇに接続される配管とをまとめて引き回すことが可能になる。したがって、本形態では、流入口４ｆに接続される配管および流出口４ｇに接続される配管の引き回しが容易になる。
【００３５】
（他の実施の形態）
上述した形態は、本発明の好適な形態の一例ではあるが、これに限定されるものではなく本発明の要旨を変更しない範囲において種々変形実施が可能である。
【００３６】
上述した形態では、ランナー加熱工程において、媒体流路４ｂを流れる加熱用媒体によってランナー７が加熱されている。この他にもたとえば、図７に示すように、ランナー加熱工程においてランナー７を加熱するためのヒータ６が金型１に取り付けられても良い。この場合には、ヒータ６が配置されるヒータ配置孔４ｐが第３金型４に形成される。ヒータ配置孔４ｐは、第３金型４の下面から上側に向かって窪むように形成されている。ヒータ６は、たとえば、電熱ヒータである。
【００３７】
また、この場合には、１個のヒータ６が第３金型４に取り付けられても良いが、複数のヒータ６が前後方向に所定の間隔をあけた状態で第３金型４に取り付けられるとともに、複数のヒータ６のそれぞれに対応する位置に複数の温度センサ５が取り付けられていることが好ましい。図７に示す例では、４個のヒータ６が前後方向において一定のピッチで配置され、４個のヒータ６のそれぞれに対応する位置に４個の温度センサ５が配置されている。また、４個のヒータ６のそれぞれの温度は、４個のヒータ６のそれぞれに対応する位置に配置される温度センサ５での検出結果に基づいて、制御されている。
【００３８】
この場合には、温度センサ５での検出結果に基づいて４個のヒータ６のそれぞれの温度を制御することで、４個のキャビティ３ａに溶融樹脂を充填するときに、前後方向におけるランナー７の加熱温度のばらつきを抑制することが可能になる。すなわち、４個のキャビティ３ａに溶融樹脂を充填するときに、前後方向において、ランナー７を流れる溶融樹脂の温度のばらつきを抑制することが可能になる。したがって、第３金型４の前後方向の一方側に配置される２個のキャビティ３ａと、第３金型４の前後方向の他方側に配置される２個のキャビティ３ａとのそれぞれに溶融樹脂を均等に充填することが可能になる。なお、この場合には、加熱用媒体は、媒体流路４ｂを流れない。
【００３９】
上述した形態では、媒体流路４ｂの流入口４ｆと流出口４ｇとが前後方向における第１ランナー部７ａの一方側に形成され、媒体流路４ｂは、第１ランナー部７ａの他方側で折り返されている。この他にもたとえば、第１ランナー部７ａの右側面に沿って配置される媒体流路４ｂの流入口４ｆが前後方向における第１ランナー部７ａの一方側に形成され、第１ランナー部７ａの右側面に沿って配置される媒体流路４ｂの流出口４ｇが前後方向における第１ランナー部７ａの他方側に形成されるとともに、第１ランナー部７ａの左側面に沿って配置される媒体流路４ｂの流入口４ｆが前後方向における第１ランナー部７ａの一方側に形成され、第１ランナー部７ａの左側面に沿って配置される媒体流路４ｂの流出口４ｇが前後方向における第１ランナー部７ａの他方側に形成されても良い。また、上述した形態では、媒体流路４ｂは、左右方向で第１ランナー部７ａを挟むように形成されているが、媒体流路４ｂは、左右方向における第１ランナー部７ａの左側または右側の一方側のみに形成されても良い。
【００４０】
上述した形態では、ランナー溝形成部４ｊの材質と固定部４ｋの材質とが異なっているが、ランナー溝形成部４ｊの材質と固定部４ｋの材質とが同じであっても良い。また、上述した形態では、ランナー溝４ａは、第１ランナー溝部４ｄと第２ランナー溝部４ｅとから構成されているが、ランナー溝４ａは、第１ランナー溝部４ｄのみによって構成されても良い。さらに、上述した形態では、第３金型４に温度センサ５が取り付けられているが、第３金型４に温度センサ５が取り付けられていなくても良い。また、上述した形態では、金型１に４個のキャビティ３ａが形成されているが、金型１に形成されるキャビティ３ａの数は、３個以下であっても良いし、５個以上であっても良い。
【符号の説明】
【００４１】
１  金型（射出成形用金型）
２ａ  スプルー
３ａ  キャビティ
４ａ  ランナー溝
４ｂ  媒体流路
４ｆ  流入口
４ｇ  流出口
４ｊ  ランナー溝形成部
４ｋ  固定部
５  温度センサ
６  ヒータ
７  ランナー
７ａ  第１ランナー部
Ｙ  ランナー形成方向
【図１】
0006587820.tif 000002
【図２】
0006587820.tif 000003
【図３】
0006587820.tif 000004
【図４】
0006587820.tif 000005
【図５】
0006587820.tif 000006
【図６】
0006587820.tif 000007
【図７】
0006587820.tif 000008